(57)【要約】      （修正有）【課題】靴を履いたり脱いだりするときに倒れないで、かつ靴ベラを靴の履き口に挿入しやすい固定式靴ベラを提供する。【解決手段】靴を履いたり脱いだりするときに使用する固定式靴ベラ１であって、前側に使用者の踵を滑らせるのに適する凹部を形成する、垂設された靴ベラ部と、前記靴ベラ部の上端部から後方に突設された湾曲部と、前記湾曲部の先端部から前記靴ベラ部と対向する方向に垂下させた、床面１１に対して立設した構造物の垂直面に接して固定化手段で固定可能な平板状の固定部と、を備えた固定式靴ベラにより課題解決できた。【選択図】図１
0003224018.tif 000002
【実用新案登録請求の範囲】
【請求項１】
靴を履いたり脱いだりするときに使用する固定式靴ベラであって、
前側に使用者の踵を滑らせるのに適する凹部を形成する、垂設された靴ベラ部と、
前記靴ベラ部の上端部から後方に突設された湾曲部と、
前記湾曲部の先端部から前記靴ベラ部と対向する方向に垂下させた、床面に対して立設した構造物の垂直面に接して固定化手段で固定可能な平板状の固定部と、を備えたことを特徴とする固定式靴ベラ。
【請求項２】
平面視で、垂設された前記靴ベラ部と前記固定部との間隔を、靴の踵の後端部を前記垂直面に接したときに前記靴ベラ部の下端部が前記靴の履き口の範囲内となることが可能な間隔となるように、並びに、
側面視で、前記靴ベラ部の下端部の床面からの高さを、床面に置いたときの靴の履き口の高さと同程度の高さとなるように、前記垂直面に対して前記靴ベラ部を固定させることを特徴とする請求項１に記載の固定式靴ベラ。
【考案の詳細な説明】
【技術分野】
【０００１】  本考案は、立った姿勢で靴を履いたり脱いだりすることが可能となる固定式靴ベラに関する。
【背景技術】
【０００２】  特許文献１には、棒の先を靴の踵後壁を跨ぐ二股状に分岐させ、靴内部に入る方を板状の靴ベラとし、靴外に出る方を支柱とした靴履き具に於いて、棒の上部を靴後方方向へ傾けた時、靴の踵後壁上端と接触する靴ベラの靴接触位置と、靴の踵外側面下部と接触する支柱の靴接触位置との水平距離寸法を加減変更調節し維持出来る、距離寸法変更手段を靴履き具に設けた改良靴履き具が開示されている。
【先行技術文献】
【特許文献】
【０００３】
【特許文献１】特開２００９−２５４５５８号公報
【考案の概要】
【考案が解決しようとする課題】
【０００４】  特許文献１の改良靴履き具は、立つ姿勢で使用する靴ベラであるが、台座等で自立可能であるが移動可能でもあるので靴を履いたり脱いだりするときに改良靴履き具を傾かせる危険がありケガをする可能性があるという問題があった。また、床面に置いてある靴のヒールの上部を靴ベラと台座などで掴む構造であるので、靴を履いたり脱いだりするときに靴ベラを履き口から挿入し難いという問題があった。【０００５】  本考案はこうした問題に鑑み創案されたもので、靴を履いたり脱いだりするときに倒れないで、かつ靴ベラを靴の履き口に挿入しやすい固定式靴ベラを提供することを課題とする。
【課題を解決するための手段】
【０００６】  請求項１に記載の固定式靴ベラは、靴を履いたり脱いだりするときに使用する固定式靴ベラであって、前側に使用者の踵を滑らせるのに適する凹部を形成する、垂設された靴ベラ部と、前記靴ベラ部の上端部から後方に突設された湾曲部と、前記湾曲部の先端部から前記靴ベラ部と対向する方向に垂下させた、床面に対して立設した構造物の垂直面に接して固定化手段で固定可能な平板状の固定部と、を備えたことを特徴とする。【０００７】  請求項２に記載の固定式靴ベラは、請求項１において、平面視で、垂設された前記靴ベラ部と前記固定部との間隔を、靴の踵の後端部を前記垂直面に接したときに前記靴ベラ部の下端部が前記靴の履き口の範囲内となることが可能な間隔となるように、並びに、側面視で、前記靴ベラ部の下端部の床面からの高さを、床面に置いたときの靴の履き口の高さと同程度の高さとなるように、前記垂直面に対して前記靴ベラ部を固定させることを特徴とする。
【考案の効果】
【０００８】  請求項１又は２に記載の固定式靴ベラは、靴を履いたり脱いだりするときに、使用者は腰を屈めることなく立ったままで靴ベラ部を靴の履き口に挿入しやすいので、履きやすくかつ脱ぎやすいという効果を奏する。また、足元を振り返ることなく、体制が立ったままで安定した姿勢で靴を履いたり脱いだりすることができる。【０００９】  また、立った姿勢で靴を履いたり脱いだりすることができるので、屈んだり腰を曲げにくい症状を有する人が靴を履いたり脱いだりするときに身体がふらついて誤って転倒することを防止する効果があり、また手が自由であるのでカバンなどの荷物を手放すことなく、また立った姿勢で自由な手で手すり等を持つことができるのでさらに転倒し難くなり安全に靴の脱着が容易にできるという効果がある。
【図面の簡単な説明】
【００１０】
【図１】本考案の固定式靴ベラの玄関の廊下の下り口への取付状態を示す図である。
【図２】本考案の固定式靴ベラの説明図で、（ａ）が右側面図であり、（ｂ）が正面図であり、（ｃ）が背面図である。
【図３】本考案の固定式靴ベラ方向に向けて足を移動させる状況の説明図である。
【図４】本考案の固定式靴ベラに足の踵が当接した状態の説明図である。
【図５】図４におけるＡ部の拡大図である。
【図６】足を動かせて本考案の固定式靴ベラを使って靴を履く状況の説明図である。
【図７】靴を履いた状態を示す説明図である。
【図８】靴を履いた状態で靴の履き口に固定式靴ベラを挿入可能にするように靴を傾斜させた説明図である。
【考案を実施するための形態】
【００１１】  本考案の固定式靴ベラ１は、図１や図３に示すように、靴１０を履いたり脱いだりするときに使用する固定式靴ベラ１であって、前側に使用者の踵を滑らせるのに適する凹部を形成する、垂設された靴ベラ部２と、前記靴ベラ部２の上端部から後方に突設された湾曲部４と、前記湾曲部４の先端部から前記靴ベラ部２と対向する方向に垂下させた、床面１１に対して立設した構造物の垂直面に接して固定化手段６で固定可能な平板状の固定部３と、を備える。
【００１２】  前記床面１１に対して立設した構造物の垂直面は、例えば玄関の廊下の下り口１２のように靴１１を履いたり脱いだりする場所の垂直状態の玄関の廊下の下り口１２がある。また、壁（図なし）であってもよい。
【００１３】  前記固定式靴ベラ１は、図１に示すように、前記玄関の廊下の下り口１２の床面１１近傍に取り付けて、屈むことなく足元を振り返ることなく立った姿勢で靴１０を履いたり脱いだりすることができる。
【００１４】  前記固定式靴ベラ１は、図２に示すように、側面視で略逆Ｕ字状で、前記靴ベラ部２と、前記湾曲部４と、前記固定部３を備える。前記靴ベラ部２、前記湾曲部４及び前記固定部３は、樹脂又は金属から造られた一体物である。
【００１５】  前記靴ベラ部２は、図２（ａ）、（ｂ）、（ｃ）に示すように、前側に使用者の踵を滑らせるのに適する凹部を形成し。図５に示すように、前記凹部に足２０の踵を滑らせることができる。そして、靴ベラ部２は、図１や図２に示すように垂直方向に垂下される。前記凹部は、正面視で、左右端から中央に向かって軽い窪みとなって、左右端部を反り返している形状であり、前記凹部全体を研磨して滑らかにしておく。
【００１６】  そして、側面視で、前記靴ベラ部２の下端部の床面１１からの高さを、図７に示すように床面１１に置いたときの靴１０の履き口７の高さと同程度の高さとなるように、前記玄関の廊下の下り口１２等の前記垂直面に対して前記靴ベラ部２を固定させる。
【００１７】  前記湾曲部４は、図２（ａ）、（ｂ）、（ｃ）に示すように、前記靴ベラ部２の上端部から後方に突設されて、前記靴ベラ部２と前記固定部３とを連結する部材である。前記靴ベラ部２との接続面の形状は側面視で円弧状があるが、足２０の踵を誘導しやすい形状であればいずれでもよい。
【００１８】  そして、側面視で、垂設された前記靴ベラ部２と前記固定部４との間隔を、図７に示すように、前記靴ベラ部２の下端部が前記靴１０の履き口７の範囲内となることが可能な間隔となる長さとする。
【００１９】  前記固定部３は、図２（ａ）、（ｂ）、（ｃ）に示すように、前記湾曲部４の先端部から前記靴ベラ部２と対向する方向に垂下させた、床面１１に対して立設した構造物の垂直面に略全面的に接して固定化手段６で固定可能な平板状である。
【００２０】  前記固定部３には、図２（ｂ）、（ｃ）に示すように、固定化手段がネジの場合用の貫通孔５が設けられている。そして、図１に示すように、玄関の廊下の下り口１２に沿わせて接触させた状態でネジ６を前記貫通孔５を貫通させて玄関の廊下の下り口１２にねじ込ませて固定させている。これにより、前記固定式靴ベラ１は玄関の廊下の下り口１２にしっかりと固定される。
【００２１】  前記固定式靴ベラ１の大きさは、例えば側面視で、前記靴ベラ部２の垂下方向の長さが約３ｃｍ、前記湾曲部４の前後方向の長さがすなわち前記靴ベラ部２と前記固定部３の間隔が約５ｃｍ、前記固定部３の垂直方向の長さが前記固定部３の下端部を前記床面１１に当接させる場合で約１１〜１２ｃｍで造られる。例えば前記固定式靴ベラ１を壁に固定した場合に、上半身まで壁にぴったりだと足２０がつかえて靴１０を履くのが難しい。このようなときは、構造物である前記壁の垂直面と前記固定部３の間を材木等を挟んで約５ｃｍ空けることによって楽に使用することができる。
【００２２】  次に使用方法を説明する。まず、靴１０を履く場合である。図３に示すように、靴１０に足先まで入れて足２０の踵と靴１０の踵部との間隔を空けた状態で、そのまま玄関の廊下の下り口１２に沿って固定式靴ベラ１に向かって約３０ｃｍほど横方向に足２０を移動させる。
【００２３】  次に、図４や図５に示すように、足２０の踵の側面側が固定式靴ベラ１に当接する。これにより固定式靴ベラ１の位置を把握する。そして、図８に示すように、足２０を靴１０の前側（矢印Ｆ１）に突っ込ませて履き口７に前記靴ベラ部２がくるようにして、かつ靴１０の先端を上方（矢印Ｈ１）に上げて靴１０を傾斜させた後に横方向に移動すれば靴１０の履き口７に前記固定式靴ベラ１を位置させることができる。
【００２４】  次に、図６に示すように、固定式靴ベラ１に靴１０の踵部をひっかけて浮いた状態（矢印Ｈ２に力を入れた状態）で足２０を前方（矢印Ｆ２）に力を入れて押し入れて履く。
【００２５】  次に、図７に示すように、足２０を、靴１０を履いた状態で床面１１に下ろす。そして足２０を横方向にずらして固定式靴ベラ１から靴１０を離隔させる。このときに、手すりを使用したり、手を壁に触れていると体勢を崩しにくいのでさらに危険防止になる。
【００２６】  次に、履いた靴１０を脱ぐときは、固定式靴ベラ１に向かって後ろ向きに立ち、図８に示すように、足２０を靴１０の前側に突っ込ませて履き口７に前記靴ベラ部２がくるようにして足２０を引き抜けば靴１０を容易に脱ぐことができる。
【符号の説明】
【００２７】１        固定式靴ベラ
２        靴ベラ部
３        固定部
４        湾曲部
５        貫通孔
６        ネジ
７        履き口
１０      靴
１１      床面
１２      玄関の廊下の下り口
２０      足
【図１】
0003224018.tif 000003
【図２】
0003224018.tif 000004
【図３】
0003224018.tif 000005
【図４】
0003224018.tif 000006
【図５】
0003224018.tif 000007
【図６】
0003224018.tif 000008
【図７】
0003224018.tif 000009
【図８】
0003224018.tif 000010